(57)【特許請求の範囲】
【請求項１】
機能パラメータをパラメータ番号に対応付けて記憶する機能パラメータ格納エリアと、変更操作した機能パラメータのパラメータ番号を記憶する変更来歴格納エリアを設けた記憶手段と、機能パラメータを表示する表示手段と、機能パラメータを選択するための選択手段と、機能パラメータの設定を変更するための変更手段と、制御部を有する電力変換装置の機能パラメータの変更方法において、
機能パラメータの変更要求があると、前記変更来歴格納エリアから最新に変更された機能パラメータの機能パラメータ番号を検索し、
この機能パラメータ番号に対応した機能パラメータを前記機能パラメータ格納エリアから呼出して前記表示手段に表示し、
表示された機能パラメータを変更手段により変更した後、変更された機能パラメータで前記機能パラメータ格納エリアの当該機能パラメータを書き換え、
前記変更来歴格納エリアに記憶したパラメータ番号を最新に変更操作された順に先頭アドレスから並べ替える電力変換装置の機能パラメータ変更方法であって、
前記変更来歴格納エリアに記憶した機能パラメータ番号の呼出しは、先頭のアドレスから読み出し、
前記変更来歴格納エリアに記憶したパラメータ番号を呼び出すと、当該機能パラメータ番号が属する上位の機能パラメータグループの機能パラメータを機能パラメータ表示手段に表示する
ことを特徴とする電力変換装置の機能パラメータ変更方法。
【請求項２】
機能パラメータ等を格納する記憶手段と、機能パラメータを表示する表示手段と、機能パラメータを選択するための選択手段と、機能パラメータの設定を変更するための変更手段と、制御部を有する電力変換装置において、
前記記憶手段に、機能パラメータをパラメータ番号に対応付けて記憶する機能パラメータ格納エリアと、変更操作した機能パラメータのパラメータ番号を記憶する変更来歴格納エリアを設け、
前記制御部に、前記変更来歴格納エリアに記憶したパラメータ番号を最新に変更操作された順に先頭アドレスから並べ替える機能を設け、
前記変更手段に前記記憶領域に格納されている機能パラメータ番号を先頭アドレスから順に呼び出し、呼び出されたパラメータ番号に相当する機能パラメータを前記表示手段に表示して、変更手段により変更するようにした電力変換装置であって、
前記変更来歴格納エリアに記憶したパラメータ番号を呼び出すと、前記パラメータ番号の所属する機能パラメータグループの先頭に位置する機能パラメータを表示手段に表示することを特徴とする電力変換装置。
【請求項３】
機能パラメータ等を格納する記憶手段と、機能パラメータを表示する表示手段と、機能パラメータを選択するための選択手段と、機能パラメータの設定を変更するための変更手段と、制御部を有する電力変換装置において、
前記記憶手段に、機能パラメータをパラメータ番号に対応付けて記憶する機能パラメータ格納エリアと、変更操作した機能パラメータのパラメータ番号を記憶する変更来歴格納エリアを設け、
前記制御部に、前記変更来歴格納エリアに記憶したパラメータ番号を最新に変更操作された順に先頭アドレスから並べ替える機能を設け、
前記変更手段に前記記憶領域に格納されている機能パラメータ番号を先頭アドレスから順に呼び出し、呼び出されたパラメータ番号に相当する機能パラメータを前記表示手段に表示して、変更手段により変更するようにした電力変換装置であって、
前記変更来歴格納エリアに記憶したパラメータ番号を呼び出すと、前記パラメータ番号の所属する機能パラメータグループのうち、当該機能パラメータの一つ前または一つ後に位置する機能パラメータを表示手段に表示することを特徴とする電力変換装置。
【発明の詳細な説明】
【技術分野】
【０００１】
本発明は、電力変換装置が持つ機能パラメータの設定方法およびこの設定方法に対応する電力変換装置に関する。
【背景技術】
【０００２】
近年の電力変換装置、例えばインバータなどでは、例えば、異なる制御内容を有する負荷に対応できるように、複数の制御内容に対応した機能パラメータを複数の制御内容分登録しておき、これら複数の制御内容のうちから所定の制御内容を選択してその制御内容に対応した機能パラメータを用いてインバータを動作させることにより、異なる制御内容を有する負荷に対応できるように構成されている。
【０００３】
このようなインバータにおいては、登録された複数の制御内容のうちから特定の制御内容を選択する機能パラメータ選択機能を有している。
上記インバータにおいては、それぞれの機能パラメータを表示して変更する場合には、インバータに設けた選択手段を操作して登録された機能パラメータを順次呼び出し、機能パラメータ表示器に表示して表示された機能パラメータを機能パラメータ変更手段から変更するように構成されている。
【０００４】
各機能パラメータには、それぞれの機能パラメータを区別のための機能パラメータ番号が付与されており、機能パラメータの変更時には、機能パラメータ番号を順次呼び出して複数ある機能パラメータから必要な機能パラメータを選択し、変更する。
【０００５】
この機能パラメータは、近年では数百ある物も少なくなく、それらを変更するために、その都度必要な機能パラメータを検索するのに手間がかかるようになってきた。
【０００６】
すなわち、一般にインバータなどの電力変換装置に複数の機能パラメータを設定する場合には、図２に示すように、機能パラメータを、大分類である第一階層５１、中分類である第二階層５２、小分類である第三階層５３のように階層構造に構成している。最終階層における機能パラメータは、機能パラメータ番号と内容（機能パラメータ）を対応付けて記憶部に設けた機能パラメータ格納エリアに記述される。
【０００７】
機能パラメータを変更するために、電力変換装置の電源を投入すると、大分類５１である第一階層が画面に表示され、そこから、中分類５２である第二階層の目的とする機能を選択し、小分類５３のデータである第三階層と階層を下げて表示し、この第３階層の画面から目的の機能パラメータを選択して変更操作を行う。
【０００８】
例えば、交流電動機を可変速制御するとともにその機能し得る複数の制御内容から所定のものを指定する諸機能パラメータのディジタル的な設定・表示手段を設けた汎用インバータを対象とし、所要の機能パラメータの設定と表示とを行う機能パラメータ設定方法において、指定された制御内容に従い機能パラメータ（データ）の変更或いは表示を要する機能パラメータのみを登録し、該登録機能パラメータ以外の諸機能パラメータの表示は行わないようにする技術が提案されている（例えば、特許文献１参照）
【特許文献１】特開平６−１８９５９０号公報
【発明の開示】
【発明が解決しようとする課題】
【０００９】
上記特許文献１に記載された技術では、インバータの初期設定時および調整時に行う機能パラメータの変更作業において、一度変更したものについても、初回の変更と同様にその機能パラメータまで順次呼び出して変更作業を行う必要があり、先に変更した機能パラメータが何番であったか操作者が記憶していればまだしも、忘却している場合は、変更済みの機能パラメータを他の機能パラメータをも含めて探し回ることになり、変更するのに時間がかかるという問題があった。
【００１０】
本発明は、インバータ（電力変換装置）において、変更済機能パラメータを選択して呼び出して機能パラメータ表示器に表示し、一度変更した機能パラメータに、容易にたどり着けるようにすることを目的とする。
【課題を解決するための手段】
【００１１】
上記課題を解決するために、本発明は、設定・変更した機能パラメータ番号を複数記憶可能な機能パラメータ番号記憶エリア（変更来歴格納エリア）に、その操作の新しい順に並び換えして記憶し、再度機能パラメータを変更するときに、機能パラメータ番号記憶エリアにアクセスして、最新の変更操作から順に機能パラメータ番号を呼出すことにより、一度変更した機能パラメータについては、無用な機能パラメータを探すこと無く変更した機能パラメータにたどり着ける様に構成した。
【発明の効果】
【００１２】
本発明によると、過去変更した機能パラメータについて、機能パラメータ格納エリアに再度探しに行くことなく、変更来歴格納エリアにアクセスするだけで、目的とする機能パラメータにたどり着くことができるので、操作の手間を省くことが可能となり、すばやい操作が可能となる。
【発明を実施するための最良の形態】
【００１３】
本発明は機能パラメータをパラメータ番号に対応付けて記憶する機能パラメータ格納エリアと、変更操作した機能パラメータのパラメータ番号を記憶する変更来歴格納エリアを設けた記憶手段と、機能パラメータを表示する表示手段と、機能パラメータを選択するための選択手段と、機能パラメータの設定を変更するための変更手段と、制御部を有する電力変換装置の機能パラメータの変更方法において、機能パラメータの変更を実施する場合は、機能パラメータ番号を検索し、この機能パラメータ番号に対応した機能パラメータを前記機能パラメータ格納エリアから呼出して前記表示手段に表示し、表示された機能パラメータを変更手段により変更した後、変更された機能パラメータで前記機能パラメータ格納エリアの当該機能パラメータを書き換え、前記変更来歴格納エリアに記憶したパラメータ番号を最新に変更操作された順に先頭アドレスから並べ替えるようにした。
【００１４】
本発明は、上記電力変換装置の機能パラメータ変更方法において、前記変更来歴格納エリアに記憶した機能パラメータ番号の呼出しは、必要とする来歴のアドレスから読み出すことが可能なようにし、さらに、上記電力変換装置の機能パラメータ変更方法において、前記変更来歴格納エリアに記憶したパラメータ番号を呼び出すと、当該機能パラメータ番号が属する上位の機能パラメータグループの機能パラメータを機能パラメータ表示手段に表示するようにした。
【００１５】
また、本発明は、機能パラメータ等を格納する記憶手段と、機能パラメータを表示する表示手段と、機能パラメータを選択するための選択手段と、機能パラメータの設定すなわち内容を変更するための変更手段と、制御部を有する電力変換装置において、前記記憶手段に、機能パラメータを機能パラメータ番号に対応付けて記憶する機能パラメータ格納エリアと、変更操作した機能パラメータの機能パラメータ番号を記憶する変更来歴格納エリアを設け、前記制御部に、前記変更来歴格納エリアに記憶した機能パラメータ番号を最新に変更操作された順に先頭アドレスから並べ替えて記憶する機能を設け、前記変更手段から前記変更来歴格納エリアに格納されている機能パラメータ番号を、必要とする来歴のアドレスから呼び出し、呼び出された機能パラメータ番号に相当する機能パラメータを前記表示手段に表示して、変更手段により変更するようにした。
【００１６】
さらに、本発明は、上記電力変換装置において、前記変更来歴格納エリアに記憶した機能パラメータ番号を呼び出すと、前記機能パラメータ番号の所属する機能パラメータグループの先頭に位置する機能パラメータを表示手段に表示するようにした、また、本発明は、前記電力変換装置において、前記変更来歴格納エリアに記憶した機能パラメータ番号を呼び出すと、前記機能パラメータ番号の所属する機能パラメータグループのうち、当該機能パラメータの一つ前または一つ後に位置する機能パラメータを表示手段に表示するようにした。
【００１７】
図１を用いて、本発明にかかる電力変換装置の機能パラメータの表示・設定・変更・格納に関連する機能構成を説明する。電力変換装置１は、通常の電力変換装置としての機能のほかに、制御部１１と、機能パラメータや機能パラメータ番号を表示する機能パラメータ表示器１２と、機能パラメータ番号に基づいて機能パラメータを選択したり機能パラメータを変更する操作キー１３と、記憶部１４とを有している。機能パラメータ設定・変更手段２を外部に設けることもできる。
【００１８】
記憶部１４には、機能パラメータを機能パラメータ番号と対応付けて格納する機能パラメータ格納エリア１４１と、変更した機能パラメータの機能番号が最新の変更分から先頭アドレスから順に格納される変更来歴格納エリア１４２が設けられている。
【００１９】
制御部１１は、機能パラメータの呼出要求があったときに、機能パラメータ格納エリア１４１に格納された機能パラメータを順次呼出し、機能パラメータ番号および機能パラメータを機能パラメータ表示器１２に表示させる機能と、機能パラメータの変更操作時に変更来歴格納エリア１４２から変更操作された順に格納されている変更された機能パラメータ番号を呼び出すとともに、この機能パラメータ番号に対応する機能パラメータを機能パラメータ格納エリア１４１から呼出して機能パラメータ表示器１２に表示する機能と、変更された機能パラメータで機能パラメータ格納エリア１４１の当該機能パラメータを書き換え、機能パラメータの内容を変更したパラメータ番号を変更来歴格納エリア１４２の先頭アドレスから順に並べ替えて機能パラメータ格納エリア１４２に再格納する機能を有している。
【００２０】
機能パラメータ表示器１２は、機能パラメータの機能パラメータ番号およびその内容を表示する表示手段である。機能パラメータの内容は、外部に設けた機能パラメータ設定・変更手段２に設けた表示部に表示するようにしてもよい。
【００２１】
操作キー１３は、機能パラメータを選択して機能パラメータ表示器に表示させる選択手段としての選択機能と、機能パラメータ表示器に表示された機能パラメータを変更する変更手段としての変更機能を有している。
【００２２】
以下、このような機能構成を有する電力変換装置における機能パラメータの変更方法について説明する。
【００２３】
電力変換装置１の電源を投入すると、機能パラメータを機能パラメータ表示器１２に表示させ、操作キー１３により順次機能パラメータを選択表示してゆき、目的の機能パラメータにたどり着くと、その機能パラメータを機能パラメータ表示器１２に表示させ、機能パラメータ（データ）を操作キー１３により変更する。機能パラメータを変更すると、変更された機能パラメータを機能パラメータ格納エリア１４１に格納する。そして、変更された機能パラメータの機能パラメータ番号を変更来歴格納エリア１４１の先頭アドレスから順に、すなわち過去の機能パラメータ番号のアドレスを順に繰り下げて格納してゆく。この動作で機能パラメータの変更作業は終了する。
【００２４】
従来の機能パラメータ変更処理においては、変更来歴格納エリア１４２への機能パラメータ番号記憶処理を行っていないので、次に当該機能パラメータのデータを再度変更しようとした場合は、再び上記と同じ操作を行い、機能パラメータのデータを変更することになる。
【００２５】
本発明では、機能パラメータを変更した際に、機能パラメータ格納エリア１４１に格納された当該機能パラメータを変更された機能パラメータで書き換えるとともに、当該機能パラメータに付された機能パラメータ番号を、別に用意した変更来歴格納エリア１４２の先頭エリアに記憶する。
【００２６】
図３のフローチャートを用いて、機能パラメータのデータ変更時の処理の一実施例を説明する。この処理は、変更来歴格納エリア１４２の格納可能な機能パラメータ数をｎ＋１個とした場合の例である。機能パラメータを変更すると、まず、アドレスのデータｍにｎ−１をセットする（Ｓ１）。その後、変更来歴格納エリア１４２の先頭アドレスにｍ（＝ｎ−１）を加算したアドレスのデータを、変更来歴格納エリア１４２の先頭アドレスにｍ＋１を加算したアドレスに移動させる（Ｓ２）。その後、ｍ＝０を判定し（Ｓ３）、ｍ＝０でなければ（Ｓ３：ＮＯ）ｍから１を引いたものをｍとして（Ｓ４）、ステップＳ２に戻り、ステップＳ２→ステップＳ３→ステップＳ４の処理を繰り返し、ｍ＝０となるまで繰り返して、変更時期が古い機能パラメータの機能パラメータ番号のアドレスを一つずつ繰り下げる。ステップＳ３でｍ＝０となると（Ｓ３：Ｙｅｓ）、最も最新で変更された機能パラメータに付された機能パラメータ番号を、変更来歴格納エリア１４２の先頭アドレスに格納する（Ｓ５）。
【００２７】
この操作により、変更来歴格納エリア１４２には、最新の変更操作順に先頭アドレスから機能パラメータ番号を並べることができる。
【００２８】
一旦変更した機能パラメータを再度変更する際には、変更来歴格納エリア１４２の変更操作順に格納された機能パラメータ番号のうち、必要とする来歴のアドレスを検索して機能パラメータ番号に対応した機能パラメータを機能パラメータ格納エリア１４１から呼出して機能パラメータ表示器１２に表示することにより、最近に変更した機能パラメータを機能パラメータ表示器に表示させることができ、所望の機能パラメータが表示されたときに当該機能パラメータを選択して変更操作することが可能となり、所望の機能パラメータを探す手間が軽減される。また、この際、変更来歴格納エリア１４２の先頭アドレスから順に検索して、所望の機能パラメータが表示されたときに当該機能パラメータを選択して変更操作しても良い。
【００２９】
また、本発明では、機能パラメータ表示器１２に希望する機能パラメータが選択表示されると、操作キー１３を操作することによってこの機能パラメータが属する上位の機能パラメータグループを表示させることができる。このことによって、当該機能パラメータが属する上位の機能パラメータグループに容易にたどり着くことができ、上位の機能パラメータから変更することが可能となる。
【００３０】
さらに、本発明では、機能パラメータ表示器１２に希望する機能パラメータが選択表示されると、操作キー１３を操作することによってこの機能パラメータの一つ前または１つ後の機能パラメータを表示させることができる。このことによって、当該機能パラメータの一つ前または１つ後の機能パラメータに容易にたどり着くことができ、前または後ろの機能パラメータを変更することが可能となる。  
【産業上の利用可能性】
【００３１】
本発明は、電力変換装置の機能パラメータの設定方法として利用の可能性がある。
【図面の簡単な説明】
【００３２】
【図１】本発明かかる電力変換装置における機能パラメータ変更方法に関する機能パラメータ変更機能構成を説明する図。
【図２】機能パラメータの階層構造を説明する図。
【図３】本発明における変更来歴格納エリアにおける最新の変更機能パラメータを先頭エリアへの書込む処理を説明するフローチャート。
【符号の説明】
【００３３】
１：電力変換装置（インバータ）、１１：制御部、１２：機能パラメータ表示器、１３：操作キー、１４：記憶部、１４１：機能パラメータ格納エリア、１４２：変更来歴格納エリア、２：パラメータ設定・変更手段、５１：機能パラメータの第一階層、５２：機能パラメータの第二階層、５３：機能パラメータの第３階層。
【図１】
0004583259.tif 000002
【図２】
0004583259.tif 000003
【図３】
0004583259.tif 000004